(57)【要約】【課題】２種類以上の保冷温度を設定可能な保冷庫を提供すること。【解決手段】断熱構造の保冷室１と、保冷室１の開口部を開閉する扉２と、保冷室内１の熱を吸収して室内を保冷する蓄冷剤６と、蓄冷剤６を冷却して蓄冷させる蒸発器９を含む冷却装置３とを備えた保冷庫において、蓄冷剤６を保冷室１内と断熱隔離する断熱室１０と、保冷室１内の空気を断熱室１０内に吸込むための吸込口１５と、断熱室１０内の冷気を保冷室１内に吹出すための吹出口１１と、吹出口１１から断熱室１０内の冷気を保冷室１内に吹出させるファン１３と、ファン１３を少なくとも２種類の保冷室内設定温度に対応させて駆動制御するファン駆動制御手段１０２とを設けた。【選択図】　　　図４
2004108661.tif 000002
【特許請求の範囲】
【請求項１】
断熱構造の保冷室と、該保冷室の開口部を開閉する扉と、該保冷室内の熱を吸収して室内を保冷する蓄冷剤と、該蓄冷剤を冷却して蓄冷させる蒸発器を含む冷却装置とを備えた保冷庫において、
前記蓄冷剤を前記保冷室内と断熱隔離する断熱室と、該保冷室内の空気を該断熱室内に吸込むための吸込口と、該断熱室内の冷気を該保冷室内に吹出すための吹出口と、該吹出口から該断熱室内の冷気を該保冷室内に吹出させるファンと、該ファンを少なくとも２種類の保冷室内設定温度に対応させて駆動制御するファン駆動制御手段と、を設けたことを特徴とする保冷庫。
【請求項２】
前記ファン駆動制御手段は、前記ファンを駆動するバッテリと、前記保冷室内の温度を検出する室内温度センサと、少なくとも２種類の保冷室内設定温度を設定出力する室内温度設定手段と、該室内温度センサの出力値と該室内温度設定手段の出力値とに基づいて前記バッテリから前記ファンへの通電を制御する比較制御手段と、を備えることを特徴とする請求項１に記載の保冷庫。
【請求項３】
前記断熱室を前記保冷室の上部に設置することを特徴とする請求項１または２に記載の保冷庫。
【請求項４】
前記断熱室の底部に、該断熱室内の結露を排出するドレン穴を設けたことを特徴とする請求項１〜３のいずれか一つに記載の保冷庫。
【請求項５】
前記蓄冷剤の温度を検出する蓄冷剤温度センサと、該蓄冷剤の凍結温度と該凍結温度よりも高い所定の半凍結温度の少なくとも２種類の蓄冷剤冷却設定温度を設定出力する蓄冷剤温度設定手段と、該蓄冷剤温度センサの出力値と該蓄冷剤温度設定手段の出力値とに基づいて電源から前記冷却装置への通電を遮断する遮断手段と、を備えた冷却装置停止手段を設けたことを特徴とする請求項１〜４のいずれか一つに記載の保冷庫。
【発明の詳細な説明】
【０００１】
【発明の属する技術分野】
本発明は、トラック等の輸送機に積載され、冷凍食品や生鮮食品等を保冷して輸送するための保冷庫に関し、特に、１台で複数の保冷温度を設定可能な保冷庫に関するものである。
【０００２】
【従来の技術】
従来のこの種の保冷庫においては、その保冷設定温度は、基本的に、蓄冷器に収納されている蓄冷剤固有の融解潜熱グレードに対応する１種類の温度帯に決まっていた（例えば、特許文献１参照）。このため、冷凍食品のように冷凍保冷が必要なものと、生野菜のように冷蔵保冷が必要なものでは、保冷温度が全く異なるので、このような物流用途に応えるためには、融解潜熱の異なる蓄冷剤を用いた２種類以上の保冷庫を用意する必要があった。
【０００３】
【特許文献１】
特開２０００−１８６８８０号公報
【０００４】
【発明が解決しようとする課題】
このように、輸送業者は、輸送商品の種類に応じて２種類以上の保冷庫を用意しなければならず、その管理にコストがかかる上に、トラック等の輸送機への保冷庫の乗せ換えに多大の労力を要していた。
【０００５】
本発明は、上記実情に鑑みてなされたもので、２種類以上の保冷温度を設定可能な保冷庫を提供することにより、管理コストの低減と輸送機への保冷庫の乗せ換え労力を低減することを目的とする。
【０００６】
【課題を解決するための手段】
上記の目的を達成するために、本発明の請求項１に係る保冷庫は、断熱構造の保冷室と、該保冷室の開口部を開閉する扉と、該保冷室内の熱を吸収して室内を保冷する蓄冷剤と、該蓄冷剤を冷却して蓄冷させる蒸発器を含む冷却装置とを備えた保冷庫において、前記蓄冷剤を前記保冷室内と断熱隔離する断熱室と、該保冷室内の空気を該断熱室内に吸込むための吸込口と、該断熱室内の冷気を該保冷室内に吹出すための吹出口と、該吹出口から該断熱室内の冷気を該保冷室内に吹出させるファンと、該ファンを少なくとも２種類の保冷室内設定温度に対応させて駆動制御するファン駆動制御手段と、を設けたことを特徴とするものである。
【０００７】
また、本発明の請求項２に係る保冷庫は、上記請求項１において、前記ファン駆動制御手段は、前記ファンを駆動するバッテリと、前記保冷室内の温度を検出する室内温度センサと、少なくとも２種類の保冷室内設定温度を設定出力する室内温度設定手段と、該室内温度センサの出力値と該室内温度設定手段の出力値とに基づいて前記バッテリから前記ファンへの通電を制御する比較制御手段と、を備えることを特徴とするものである。
【０００８】
また、本発明の請求項３に係る保冷庫は、上記請求項１または２において、前記断熱室を前記保冷室の上部に設置することを特徴とするものである。
【０００９】
また、本発明の請求項４に係る保冷庫は、上記請求項１〜３のいずれか一つにおいて、前記断熱室の底部に、該断熱室内の結露を排出するドレン穴を設けたことを特徴とするものである。
【００１０】
また、本発明の請求項５に係る保冷庫は、上記請求項１〜４のいずれか一つにおいて、前記蓄冷剤の温度を検出する蓄冷剤温度センサと、該蓄冷剤の凍結温度と該凍結温度よりも高い所定の半凍結温度の少なくとも２種類の蓄冷剤冷却設定温度を設定出力する蓄冷剤温度設定手段と、該蓄冷剤温度センサの出力値と該蓄冷剤温度設定手段の出力値とに基づいて電源から前記冷却装置への通電を遮断する遮断手段と、を備えた冷却装置停止手段を設けたことを特徴とするものである。
【００１１】
【発明の実施の形態】
以下、添付図面を参照して、本発明に係る保冷庫の好適な実施の形態を詳細に説明する。図１はこの発明の保冷庫の外観を示す正面図、図２は蓄冷剤の外観を示す斜視図、図３は断熱室を断面にした保冷庫の上部を示す図、図４はファン駆動制御手段のブロック図、図５は冷却装置停止手段のブロック図である。
【００１２】
この保冷庫１０１は、トラック等の輸送機に積載され、冷凍食品や生鮮食品等を保冷した状態で輸送するものであり、図１〜図３に示すように、断熱構造の保冷室１と、この保冷室１の開口部を開閉する断熱構造の扉２と、保冷室内の熱を吸収して室内を保冷する蓄冷剤６と、この蓄冷剤６を冷却して蓄冷させる蒸発器９を含む冷却装置３とを備えて構成されている。
【００１３】
保冷室１は、前面に被保冷物を出し入れするための開口部を有する縦長直方体の箱型形状であり、保冷室１の天板１ａの上には、蒸発器９を除く冷却装置３を収納する機械室４が設置されている。２ｂは扉２を開閉するための把手、１ｂは保冷庫を移動させるためのキャスタである。
【００１４】
冷却装置３は、保冷室１の上に設置された機械室４内に設置された電動駆動の圧縮機７、凝縮器８及び膨張弁１２と、保冷室１内の蓄冷剤６近傍に設置された蒸発器９とから概ね構成され、他に、図示しないアキュムレータや凝縮器８を空冷する空冷ファン８ｂ等も備えている。圧縮機７、凝縮器８、膨張弁１２、蒸発器９及びアキュムレータは、図示しない冷媒配管により順次接続されていて、圧縮機７で圧縮された冷媒を凝縮器８で凝縮液化し、膨張弁１２により減圧した後、蒸発器９で蒸発させ、このときの蒸発潜熱により蓄冷剤６を冷却することにより蓄冷する。
【００１５】
保冷室１の上部には、断熱部材１０ａ、１０ｂ、１０ｃ、…により保冷室と熱隔離された断熱室１０が設けられ、この断熱室１０内に蒸発器９と蓄冷剤６が収納されている。また、側部の断熱部材１０ａには、保冷室１内の空気を断熱室１０内に吸込むための吸込口１５が設けられ、底部の断熱部材１０ｃには、断熱室１０内の冷気を保冷室１内に吹出すための吹出口１１と、断熱室１０内の結露を排出するドレン穴１６が設けられている。断熱部材１０ｃは、ドレン穴１６に向けて下り勾配が設けられている。吹出口１１の近傍には、吹出口１１から断熱室１０内の冷気を吹出させるファン１３が設置されている。
【００１６】
断熱室１０は、保冷室１の下部に設けてもよいが、本実施の形態では保冷室１の上部に設けたので、ファン１３により吹出口１１から吹出された冷気は比重が重いため保冷室１内を自然降下するので、ファン１３の駆動動力が少なくて済む。
【００１７】
また、断熱室１０にドレン穴１６を設けたので、断熱室１０内の結露が排出され、断熱室１０内で凍結してファン１３の駆動を妨げたりすることはない。
【００１８】
次に、図４を参照してファン１３の駆動制御手段１０２について説明する。２４は、ファン１３の駆動電源を供給するバッテリ、２５はバッテリ２４からファン１３への通電をＯＮ／ＯＦＦする電源スイッチで、これらは機械室４に収納されている。１８は、保冷室１内温度を検出する室内温度センサで、断熱室１０の吸込口１５近傍の保冷室１内に設置されている。１９は、少なくとも２種類の保冷室１内設定温度信号を選択出力する室内温度設定手段としての切換スイッチで、機械室４の前面に設置されている。
【００１９】
１７は、たとえば、保冷室１内温度を−１８℃以下に保冷する冷凍保冷温度と−５℃程度に保冷する冷蔵保冷温度の２種類の設定温度信号を切換スイッチ１９に出力する保冷温度設定部１７ｂと、室内温度センサ１８の出力信号と切換スイッチ１９の出力信号とを入力してその大小を比較し、室内温度センサ１８の出力値が切換スイッチ１９の出力値より大きいとき（室内温度が設定温度より高いとき）には電源スイッチ２５を制御してバッテリ２４からファン１３へ通電し、逆のときには通電を断つ比較制御手段１７ａとを備えるコントローラであり、機械室４に収納されている。冷蔵保冷温度は、用途に応じて任意の温度に設定可能であり、また２種類以上を設定することもできる。
【００２０】
生鮮食品等の冷蔵保冷品を保冷するときは、切換スイッチ１９を冷蔵保冷温度に設定する。コントローラ１７の比較制御手段１７ａは、室内温度センサ１８からの室内温度信号と切換スイッチ１９からの冷蔵保冷温度信号（たとえば−５℃）とを比較し、室内温度信号が高い場合は、電源スイッチ２５を制御してバッテリ２４からファン１３へ通電しファン１３を駆動して断熱室１０内の冷気を保冷室１内へ吹出させ、保冷室内温度が冷蔵保冷温度まで下がるとファン１３への通電を断ちファンを停止させる。このようなファン１３の駆動制御が繰り返され、保冷室１内温度は冷蔵保冷温度に保たれる。
【００２１】
冷凍食品等を冷凍保冷するときは、切換スイッチ１９を冷凍保冷温度に設定すれば、上記と同様なファン１３の駆動制御が行われ、保冷室１内温度は冷凍保冷温度に保たれる。蓄冷剤６が断熱室１０に収納されているので、蓄冷剤６の冷却温度にかかわらず、保冷室１内温度は、ファン１３の駆動制御だけで設定温度に保たれる。
【００２２】
次に、図５を参照して冷却装置停止手段１０３について説明する。２６は、冷却装置３の駆動電源であり、通常、冷却装置の運転は、配送ターミナルの保管倉庫において行われるので、市販電力を供給する。２７は、駆動電源２６から冷却装置３への通電をＯＮ／ＯＦＦする電源スイッチで、機械室４に収納されている。２１は、断熱室１０内の蓄冷剤６の温度を検出する蓄冷剤温度センサである。２２は、少なくとも２種類の蓄冷剤冷却設定温度を設定出力する蓄冷剤温度設定手段としての切換スイッチで、機械室４の前面に設置されている。
【００２３】
２０は、たとえば、蓄冷剤温度を−２５℃以下に冷却して凍結させる完全凍結温度と、−１２℃程度に冷却して半凍結させる半凍結温度の２種類の設定温度信号を切換スイッチ２２に出力する冷却温度設定部２０ｂと、蓄冷剤温度センサ２１の出力と切換スイッチ２２の出力とを入力してその大小を比較し、蓄冷剤温度センサ２１の出力値が切換スイッチ２２の出力値より大きいとき（蓄冷剤温度が設定温度より高いとき）には、電源スイッチ２７を制御して駆動電源２６から冷却装置３へ通電してこれを駆動し、逆のときには通電を断って停止させる遮断手段２０ａを備えるコントローラであり、機械室４に収納されている。半凍結温度は、用途に応じて任意の温度に設定可能であり、また２種類以上を設定することもできる。
【００２４】
蓄冷剤６は、完全凍結させると非常に大きい融解潜熱を蓄冷することになり、保冷庫１０１を冷蔵保冷に使用するときには、完全凍結の潜熱総量を必要としないことが多く、完全凍結はエネルギーの無駄使いとなるが、この冷却装置停止手段１０３を設けることによりエネルギーの浪費が防止できる。
【００２５】
次に、この冷却装置停止手段１０３の作用を説明する。保冷庫１０１を冷蔵保冷に使用するときは、切換スイッチ２２を半凍結温度に設定する。コントローラ２０の遮断手段２０ａは、蓄冷剤温度センサ２１からの蓄冷剤温度信号と切換スイッチ２２からの半凍結温度信号とを比較し、蓄冷剤温度信号が高い場合は、電源スイッチ２７を制御して電源２６から冷却装置３へ通電しこれを駆動して蓄冷剤６を冷却して蓄冷させる。蓄冷剤温度が設定された半凍結温度まで下がると冷却装置３への通電を断ちこれを停止させる。
【００２６】
保冷庫１０１を冷凍保冷に使用するときは、切換スイッチ２２を完全凍結温度に設定すれば、上記と同様な冷却装置３の駆動が行なわれ、蓄冷剤６が完全凍結温度まで下がると冷却装置３が停止する。
【００２７】
なお、本実施の形態では、上記のような冷却装置停止手段１０３を設けているが、蓄冷剤温度センサ２１の検出温度を保冷庫外に設置した温度計に表示し、この温度計の表示温度を見て、オペレータが冷却装置３を停止させてもよい。
【００２８】
【発明の効果】
以上説明したように、本発明の請求項１に係る保冷庫によれば、蓄冷剤を断熱室で保冷室と隔離し、少なくとも２種類のそれぞれの保冷室内設定温度になるようにファンが駆動制御されるので、１つの保冷庫を用意するだけで輸送商品を所望の保冷温度で保冷することができる。
【００２９】
また、本発明の請求項２に係る保冷庫によれば、室内温度センサの検出温度に基づいてファンを駆動制御するので、保冷室内の温度を正確にコントロールすることができる。
【００３０】
また、本発明の請求項３に係る保冷庫によれば、断熱室内冷気がその比重によって保冷室内に自然循環しようとするので、ファンの駆動電力が少なくて済む。
【００３１】
また、本発明の請求項４に係る保冷庫によれば、断熱室内に溜まる結露が排出され、断熱室内で凍結してファンの駆動を妨げたりすることがない。
【００３２】
また、本発明の請求項５に係る保冷庫によれば、要求保冷温度が蓄冷剤の凍結温度よりも高いときには、蓄冷剤を所定の半凍結温度まで冷却できたときに冷却装置の運転を止めるので、過冷却による冷却装置の電力労費がなくなる。
【図面の簡単な説明】
【図１】本発明の保冷庫の外観を示す正面図である。
【図２】蓄冷剤の外観を示す斜視図である。
【図３】断熱室を断面にした保冷庫の上部を示す図である。
【図４】ファン駆動制御手段のブロック図である。
【図５】冷却装置停止手段のブロック図である。
【符号の説明】
１　　　　保冷室
２　　　　扉
３　　　　冷却装置
４　　　　機械室
６　　　　蓄冷剤
１０　　　　断熱室
１１　　　　吹出口
１２　　　　膨張弁
１３　　　　ファン
１５　　　　吸込口
１６　　　　ドレン穴
１７，２０　　　コントローラ
１８　　　　室内温度センサ
１９，２２　　　切換スイッチ
２１　　　　蓄冷剤温度センサ
２４　　　　バッテリ
２５，２７　　　電源スイッチ
２６　　　　電源
【図１】
2004108661.tif 000003
【図２】
2004108661.tif 000004
【図３】
2004108661.tif 000005
【図４】
2004108661.tif 000006
【図５】
2004108661.tif 000007